【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
少なくとも１つのストレージ装置における少なくとも１つの処理装置により、データを複数のオブジェクト、および、オブジェクトソーシャルネットワークを構築する複数のオブジェクト間の関係として保存し、
前記少なくとも１つの処理装置により、前記オブジェクトソーシャルネットワークの少なくとも一部において、前記複数のオブジェクトの第１オブジェクトと前記複数のオブジェクトの第２オブジェクトとの間の潜在的な因果関係を特定するために根本原因解析を行い、
前記少なくとも１つのストレージ装置における前記少なくとも１つの処理装置により、第１オブジェクトと第２オブジェクトとの間の前記潜在的な因果関係に基づいて、前記オブジェクトソーシャルネットワークを修正する、
工程からなる、データ分析方法。
【請求項２】
第１オブジェクトと第２オブジェクトとのうちの少なくとも１つは、複数の他のオブジェクトを代表する、請求項１に記載の方法。
【請求項３】
前記オブジェクトソーシャルネットワークを提供するために、前記少なくとも１つの処理装置により、前記複数のオブジェクトと前記複数のオブジェクト同士の間の関係とにおけるネットワーク発見を行う工程をさらに含む、請求項１に記載の方法。
【請求項４】
前記根本原因解析は、第１オブジェクトと第２オブジェクトとの間の相関関係を特定する工程をさらに含む、請求項１に記載の方法。
【請求項５】
前記オブジェクトソーシャルネットワークの修正は、更新されたオブジェクトソーシャルネットワークを提供するために、前記少なくとも１つの処理装置により、第１オブジェクトと第２オブジェクトとの間の相関関係に基づき、前記オブジェクトソーシャルネットワークにおける２つのオブジェクト間の関係を更新する工程をさらに含む、請求項４に記載の方法。
【請求項６】
前記オブジェクトソーシャルネットワークの修正は、更新されたオブジェクトソーシャルネットワークを提供するために、前記少なくとも１つの処理装置により、第１オブジェクトと第２オブジェクトとの間の相関関係に基づき、前記オブジェクトソーシャルネットワークにおける２つのオブジェクト間の関係を構築する工程をさらに含む、請求項４に記載の方法。
【請求項７】
前記オブジェクトソーシャルネットワークの修正は、更新されたオブジェクトソーシャルネットワークを提供するために、前記少なくとも１つの処理装置により、第１オブジェクトと第２オブジェクトとの間の相関関係に基づき、前記オブジェクトソーシャルネットワークにおける２つのオブジェクト間の関係を削除する工程をさらに含む、請求項４に記載の方法。
【請求項８】
前記少なくとも１つの処理装置により、更新されたオブジェクトソーシャルネットワークについて根本原因解析を行う工程をさらに含む、請求項５〜７のいずれかに記載の方法。
【請求項９】
第１オブジェクトと第２オブジェクトとの間の関係は、前記根本原因解析を行う以前に予め構築されていない、請求項１に記載の方法。
【請求項１０】
前記オブジェクトソーシャルネットワークの修正は、前記少なくとも１つの処理装置により、前記潜在的な因果関係に基づき、第１オブジェクトと第２オブジェクトとの間の関係を含む新規のオブジェクトとして、第１オブジェクトと第２オブジェクトとの間の関係を修正する工程をさらに含む、請求項１に記載の方法。
【請求項１１】
前記オブジェクトソーシャルネットワークの修正は、前記少なくとも１つの処理装置により、前記潜在的な因果関係に基づき、第１オブジェクトと第２オブジェクトとの間の関係を含む新規のオブジェクトとして、第１オブジェクトと第２オブジェクトとの間の関係を追加する工程をさらに含む、請求項１に記載の方法。
【請求項１２】
前記少なくとも１つの処理装置により、前記少なくとも１つの更新されたオブジェクトまたは前記新規のオブジェクトを含む前記オブジェクトソーシャルネットワークの少なくとも一部において根本原因解析を行う工程をさらに含む、請求項１０または１１に記載の方法。
【請求項１３】
少なくとも１つの処理装置と、
前記少なくとも１つの処理装置に動作的に接続され、実行可能な指示を保存している、ストレージコンポーネントと、
を備え、
該ストレージコンポーネントが、前記少なくとも１つの処理装置により実行された場合に、該ストレージコンポーネントが前記少なくとも１つの処理装置に、
少なくとも１つのストレージ装置に、データを、複数のオブジェクト、および、オブジェクトソーシャルネットワークを構築する前記複数のオブジェクト同士の間の関係として保存させ、
前記オブジェクトソーシャルネットワークの少なくとも一部において、前記複数のオブジェクトの第１オブジェクトと前記複数のオブジェクトの第２オブジェクトとの間の潜在的な因果関係を特定するために根本原因解析を実行させ、および、
前記少なくとも１つのストレージコンポーネントにおいて、第１オブジェクトと第２オブジェクトとの間の前記潜在的な因果関係に基づき、前記オブジェクトソーシャルネットワークを修正させる、
データ分析装置。
【請求項１４】
第１オブジェクトと第２オブジェクトとのうちの少なくとも１つは、複数の他のオブジェクトを代表する、請求項１３に記載の装置。
【請求項１５】
前記ストレージコンポーネントは、前記少なくとも１つの処理装置により実行された場合に、該少なくとも１つの処理装置に、前記オブジェクトソーシャルネットワークを提供するために、前記複数のオブジェクトおよび前記複数のオブジェクト同士の間の関係におけるネットワーク発見を実行させる、実行可能な指示をさらに備える、請求項１３に記載の装置。
【請求項１６】
前記少なくとも１つの処理装置に前記根本原因解析を行わせる実行可能な指示は、前記少なくとも１つの処理装置に対し、第１オブジェクトと第２オブジェクトとの間の相関関係を特定させるように機能する、請求項１３に記載の装置。
【請求項１７】
前記少なくとも１つの処理装置に前記オブジェクトソーシャルネットワークを修正させる実行可能な指示は、更新されたオブジェクトソーシャルネットワークを提供するために、第１オブジェクトと第２オブジェクトとの間の前記相関関係に基づき、前記少なくとも１つの処理装置に、前記オブジェクトソーシャルネットワークにおける２つのオブジェクト間の関係を更新させるように機能する、請求項１６に記載の装置。
【請求項１８】
前記少なくとも１つの処理装置に前記オブジェクトソーシャルネットワークを修正させる実行可能な指示は、更新されたオブジェクトソーシャルネットワークを提供するために、第１オブジェクトと第２オブジェクトとの間の前記相関関係に基づき、前記少なくとも１つの処理装置に、前記オブジェクトソーシャルネットワークにおける２つのオブジェクト間の関係を構築させるように機能する、請求項１６に記載の装置。
【請求項１９】
前記少なくとも１つの処理装置に前記オブジェクトソーシャルネットワークを修正させる実行可能な指示は、更新されたオブジェクトソーシャルネットワークを提供するために、第１オブジェクトと第２オブジェクトとの間の前記相関関係に基づき、前記少なくとも１つの処理装置に、前記オブジェクトソーシャルネットワークにおける２つのオブジェクト間の関係を削除させるように機能する、請求項１６に記載の装置。
【請求項２０】
前記ストレージコンポーネントは、前記少なくとも１つの処理装置により実行された場合に、前記少なくとも１つの処理装置に、前記更新されたオブジェクトソーシャルネットワークにおいて根本原因解析を行わせる実行可能な指示をさらに備える、請求項１７〜１９のいずれかに記載の装置。
【請求項２１】
第１オブジェクトと第２オブジェクトとの間の関係は、前記根本原因解析を行う以前に予め構築されていない、請求項１３に記載の装置。
【請求項２２】
前記少なくとも１つの処理装置に前記オブジェクトソーシャルネットワークを修正させる実行可能な指示は、前記潜在的な因果関係に基づき、第１オブジェクトと第２オブジェクトとの間の関係を含む、少なくとも１つの更新されたオブジェクトを提供するために、前記少なくとも１つの処理装置に、第１オブジェクトと第２オブジェクトとのうちの少なくとも１つを修正させるように機能する、請求項１３に記載の装置。
【請求項２３】
前記少なくとも１つの処理装置に前記オブジェクトソーシャルネットワークを修正させる実行可能な指示は、前記少なくとも１つの処理装置により、前記潜在的な因果関係に基づき、第１オブジェクトと第２オブジェクトとの関係を有する新規のオブジェクトとして、第１オブジェクトと第２オブジェクトとの間の因果関係を追加させるように機能する、請求項１３に記載の装置。
【請求項２４】
前記ストレージコンポーネントは、前記少なくとも１つの処理装置により実行された場合に、前記少なくとも１つの処理装置により、前記少なくとも１つの更新されたオブジェクトまたは前記新規のオブジェクトを含む前記オブジェクトソーシャルネットワークの少なくとも一部において根本原因解析を行わせる実行可能な指示をさらに備える、請求項２２または２３に記載の装置。
【請求項２５】
実行可能な指示を保存しており、少なくとも１つの処理装置実行された場合に、前記少なくとも１つの処理装置に、
少なくとも１つのストレージ装置に、データを、複数のオブジェクト、および、オブジェクトソーシャルネットワークを構築する前記複数のオブジェクト同士の間の関係として保存させ、
前記オブジェクトソーシャルネットワークの少なくとも一部において、前記複数のオブジェクトの第１オブジェクトと前記複数のオブジェクトの第２オブジェクトとの間の潜在的な因果関係を特定するために根本原因解析を実行させ、および、
前記少なくとも１つのストレージ装置において、第１オブジェクトと第２オブジェクトとの間の潜在的な因果関係に基づき、前記オブジェクトソーシャルネットワークを修正させる、
コンピュータ可読記録媒体。
【請求項２６】
第１オブジェクトと第２オブジェクトとのうちの少なくとも１つは、複数の他のオブジェクトを代表する、請求項２５に記載のコンピュータ可読記録媒体。
【請求項２７】
前記コンピュータ可読記録媒体は、前記少なくとも１つの処理装置により実行された場合に、該少なくとも１つの処理装置に、前記オブジェクトソーシャルネットワークを提供するために、前記複数のオブジェクトおよび前記複数のオブジェクト同士の間の関係におけるネットワーク発見を実行させる、実行可能な指示をさらに備える、請求項２５に記載のコンピュータ可読記録媒体。
【請求項２８】
前記少なくとも１つの処理装置に前記根本原因解析を行わせる実行可能な指示は、前記少なくとも１つの処理装置に、第１オブジェクトと第２オブジェクトとの間の相関関係を特定させるように機能する、請求項２５に記載のコンピュータ可読記録媒体。
【請求項２９】
前記少なくとも１つの処理装置に前記オブジェクトソーシャルネットワークを修正させる実行可能な指示は、更新されたオブジェクトソーシャルネットワークを提供するために、第１オブジェクトと第２オブジェクトとの間の前記相関関係に基づき、前記少なくとも１つの処理装置に、前記オブジェクトソーシャルネットワークにおける２つのオブジェクト間の関係を更新させるように機能する、請求項２８に記載のコンピュータ可読記録媒体。
【請求項３０】
前記少なくとも１つの処理装置に前記オブジェクトソーシャルネットワークを修正させる実行可能な指示は、更新されたオブジェクトソーシャルネットワークを提供するために、第１オブジェクトと第２オブジェクトとの間の前記相関関係に基づき、前記少なくとも１つの処理装置に、前記オブジェクトソーシャルネットワークにおける２つのオブジェクト間の関係を構築させるように機能する、請求項２８に記載のコンピュータ可読記録媒体。
【請求項３１】
前記少なくとも１つの処理装置に前記オブジェクトソーシャルネットワークを修正させる実行可能な指示は、更新されたオブジェクトソーシャルネットワークを提供するために、第１オブジェクトと第２オブジェクトとの間の前記相関関係に基づき、前記少なくとも１つの処理装置に、前記オブジェクトソーシャルネットワークにおける２つのオブジェクト間の関係を削除させるように機能する、請求項２８に記載のコンピュータ可読記録媒体。
【請求項３２】
前記少なくとも１つの処理装置により実行された場合に、前記少なくとも１つの処理装置に、前記更新されたオブジェクトソーシャルネットワークにおいて根本原因解析を行わせる実行可能な指示をさらに備える、請求項２９〜３１のいずれかに記載のコンピュータ可読記録媒体。
【請求項３３】
第１オブジェクトと第２オブジェクトとの間の関係は、前記根本原因解析を行う以前に予め構築されていない、請求項２５に記載のコンピュータ可読記録媒体。
【請求項３４】
前記少なくとも１つの処理装置に前記オブジェクトソーシャルネットワークを修正させる実行可能な指示は、前記潜在的な因果関係に基づき、第１オブジェクトと第２オブジェクトとの間の関係を含む、少なくとも１つの更新されたオブジェクトを提供するために、前記少なくとも１つの処理装置に、第１オブジェクトと第２オブジェクトとのうちの少なくとも１つを修正させるように機能する、請求項２５に記載のコンピュータ可読記録媒体。
【請求項３５】
前記少なくとも１つの処理装置に前記オブジェクトソーシャルネットワークを修正させる実行可能な指示は、前記少なくとも１つの処理装置に、前記潜在的な因果関係に基づき、第１オブジェクトと第２オブジェクトとの関係を有する新規のオブジェクトとして、第１オブジェクトと第２オブジェクトとの間の因果関係を追加させるように機能する、請求項２５に記載のコンピュータ可読記録媒体。
【請求項３６】
前記少なくとも１つの処理装置により実行された場合に、前記少なくとも１つの処理装置により、前記少なくとも１つの更新されたオブジェクトまたは前記新規のオブジェクトを含む前記オブジェクトソーシャルネットワークの少なくとも一部において根本原因解析を行わせる実行可能な指示をさらに備える、請求項３４または３５に記載のコンピュータ可読記録媒体。